(57)【特許請求の範囲】
【請求項１】
前輪と後輪との間でかつ機体の下方に配置され、縦軸芯周りに回転駆動される刈刃を有する草刈装置と、
前記草刈装置から左右後輪の間を通して斜め上方後方に延出され、前記刈刃の回転によって前記草刈装置から排出された刈草を後方に向けて案内するダクトと、
前記ダクトの出口に接続され、前記ダクトの出口から排出された刈草を下方の地面に向けて案内するリヤディスチャージカバーと、を備えた草刈機であって、
前記リヤディスチャージカバーは、前記ダクトの出口に対向する案内部分を備えると共に、その案内部分は、前記ダクトの上縁部に接続されて斜め後方下方に延出された扁平面からなる上側案内面と、その上側案内面に接続されて該上側案内面よりも下方に向きながら斜め後方下方に延出された扁平面からなる下側案内面と、を有し、
前記上側案内面が、側面視で前記ダクトの上面の後方への上側延長線と下面の後方への下側延長線との間に位置し、前記下側案内面が前記下側延長線よりも後方下方へ延出され、
前記ダクトの出口から排出された刈草を左右方向に分散させる分散部材を、前記下側延長線よりも上方側の前記上側案内面で、かつ前記上側延長線よりも前記下側延長線に近い位置に備えてある草刈機。
【請求項２】
前記分散部材を複数設けると共に、前記分散部材が、平面視で前記ダクトの左右方向の中心線を挟んで左右対称な位置に位置する請求項１に記載の草刈機。
【請求項３】
前記分散部材は、平面視で前記ダクトの左側延長線の近く位置と右側延長線の近く位置との夫々に配備され、かつ刈草を左右方向に分散させる分散開始箇所が、前記左側延長線及び前記右側延長線よりも、前記ダクトの左右方向での中央側寄り箇所に位置するように配備されている請求項１又は２記載の草刈機。
【請求項４】
前記分散部材が、前後方向に長い長孔と取付ボルト、又は前後に離れた複数の丸孔と取付ボルトとによって位置調節可能に構成されている請求項１〜３のいずれか一項記載の草刈機。
【発明の詳細な説明】
【技術分野】
【０００１】
本発明は、前輪と後輪との間でかつ機体の下方に配置され、縦軸芯周りに回転駆動される刈刃を有する草刈装置と、前記草刈装置から左右後輪の間を通して斜め上方後方に延出され、前記刈刃の回転によって前記草刈装置から排出された刈草を後方に向けて案内するダクトと、前記ダクトの出口に接続され、前記ダクトの出口から排出された刈草を下方の地面に向けて案内するリヤディスチャージカバーと、を備えた草刈機に関する。
【背景技術】
【０００２】
草刈装置の特性、ダクトの形状や姿勢等により、ダクトの出口から排出された刈草は、リヤディスチャージカバーの案内部分における特定の経路を通って地面に放出されることがあり、放出された刈草の左右方向の分布にばらつきが生じることがある。このとき、放出された刈草が地面に筋状に残って、地面の見栄えが悪くなるという不都合が生じることがある。
【０００３】
上記不都合を解消すべく、例えば、特許文献１には、以下のようなものが開示されている。リヤディスチャージカバーの後面を、ダクトの出口に対向する案内部分とし、その案内部分は、ダクトの上縁部に接続されて斜め後方下方に延出される側面視で円弧状の上側案内面と、その上側案内面に接続されて該上側案内面よりも下方に向きながら斜め後方下方に延出される側面視で直線状の下側案内面と、を有する。ダクトの出口から排出された刈草を左右方向に分散させる分散部材を、下側案内面に備える。
【０００４】
草刈装置からの刈草の多くはダクトの上面に沿って後方に流れるのであり、ダクトの出口から排出された刈草は、上側案内面の案内によってその排出方向を斜め後方下方に変えつつ下側案内面に搬送される。下側案内面に搬送された刈草は、下側案内面の案内によってその排出方向をさらに斜め後方下方に変えつつ下側案内面に備えた分散部材によって左右方向に分散されて、下方の地面に放出される。このように、下側案内面に備えた分散部材によって刈草が左右方向に分散されることによって、上記不都合を解消するようにしている。
【先行技術文献】
【特許文献】
【０００５】
【特許文献１】特開２００２−２７２２３５号公報
【発明の概要】
【発明が解決しようとする課題】
【０００６】
しかしながら、上記構成では、ダクトの上面に沿って後方に流れてきた刈草は、上側案内面の案内によってその排出方向を斜め後方下方に変えることにより、刈草の排出速度が低下することになり、下側案内面に搬送された刈草は、下側案内面の案内によってその排出方向をさらに斜め後方下方に変えることにより、刈草の排出速度が更に低下することになる。
【０００７】
このため、下側案内面に搬送された刈草が分散部材に接触しなかったり、分散部材に接触したとしても刈草の排出速度が遅いために、刈草が左右方向に十分に分散しないことがある。その結果、放出された刈草の左右方向の分布のばらつきが十分に解消されない点でいまだ改善の余地があった。
【０００８】
本発明の目的は、刈草を均等に放出することができる草刈機を提供する点にある。
【課題を解決するための手段】
【０００９】
本発明の草刈機は、前輪と後輪との間でかつ機体の下方に配置され、縦軸芯周りに回転駆動される刈刃を有する草刈装置と、前記草刈装置から左右後輪の間を通して斜め上方後方に延出され、前記刈刃の回転によって前記草刈装置から排出された刈草を後方に向けて案内するダクトと、前記ダクトの出口に接続され、前記ダクトの出口から排出された刈草を下方の地面に向けて案内するリヤディスチャージカバーと、を備えたものであって、
その第１特徴構成は、前記リヤディスチャージカバーは、前記ダクトの出口に対向する案内部分を備えると共に、その案内部分は、前記ダクトの上縁部に接続されて斜め後方下方に延出された扁平面からなる上側案内面と、その上側案内面に接続されて該上側案内面よりも下方に向きながら斜め後方下方に延出された扁平面からなる下側案内面と、を有し
前記上側案内面が、側面視で前記ダクトの上面の後方への上側延長線と下面の後方への下側延長線との間に位置し、前記下側案内面が前記下側延長線よりも後方下方へ延出され、
前記ダクトの出口から排出された刈草を左右方向に分散させる分散部材を、前記下側延長線よりも上方側の前記上側案内面で、かつ前記上側延長線よりも前記下側延長線に近い位置に備えてある点にある。
【００１０】
本構成によれば、ダクトの出口から排出された刈草は、上側案内面の案内によってその排出方向を斜め後方下方に変えつつ上側案内面に備えられた分散部材によって左右方向に分散されて、下側案内面に搬送される。下側案内面に搬送された刈草は、下側案内面の案内によってその排出方向をさらに斜め後方下方に変えつつ下方の地面に放出される。
また、本構成によれば、分散部材が、側面視でダクトの上面の後方への上側延長線と下面の後方への下側延長線との間に位置するので、ダクトの出口から排出された刈草が分散部材に接触し易くなり、分散部材によって刈草が左右方向に十分に分散される。よって、刈草を均等に放出することができ、地面の見栄えが向上する。
【００１１】
ダクトの上面に沿って後方に流れてきた刈草は、上側案内面の案内によって刈草の排出速度が低下するものの、下側案内面の案内によって刈草の排出速度が更に低下する前に、刈草が分散部材に接触する。したがって、ダクトの上面に沿って後方に流れてきた刈草は、特許文献１よりも高速で分散部材に接触する。このようにして、刈草が分散部材に十分に接触することになり、刈草が左右方向に十分に分散される。よって、刈草を均等に放出することができ、地面の見栄えが向上する。
【００１２】
本発明の第２特徴構成は、前記分散部材を複数設けると共に、前記分散部材が、平面視で前記ダクトの左右方向の中心線を挟んで左右対称な位置に位置する点にある。
【００１３】
本構成によれば、分散部材を複数設けることによって、刈草が分散部材に接触し易くなり、分散部材によって刈草が左右方向に十分に分散される。よって、刈草を均等に放出することができ、地面の見栄えが向上する。また、分散部材を平面視でダクトの左右方向の中心線を挟んで左右対称な位置に設けることによって、刈草を左右一方側に偏りが生じること無く放出することができる。
【００１４】
本発明の第３特徴構成は、前記分散部材は、平面視で前記ダクトの左側延長線の近く位置と右側延長線の近く位置との夫々に配備され、かつ刈草を左右方向に分散させる分散開始箇所が、前記左側延長線及び前記右側延長線よりも、前記ダクトの左右方向での中央側寄り箇所に位置するように配備されている点にある。
【００１５】
【００１６】
本発明の第４特徴構成は、前記分散部材が、前後方向に長い長孔と取付ボルト、又は前後に離れた複数の丸孔と取付ボルトとによって位置調節可能に構成されている点にある。
【００１７】
本構成によれば、分散部材が位置調節可能であるので、ダクトの出口から排出された刈草が案内部分に衝突する位置に分散部材を位置調節することにより、ダクトの出口から排出された刈草を確実に分散部材に接触させることができる。
【図面の簡単な説明】
【００１８】
【図１】草刈機を示す側面図である。
【図２】草刈装置、ダクト、およびリヤディスチャージカバーを示す平面図である。
【図３】支持枠に対してリヤディスチャージカバーを取り付けた状態を示す縦断面図である。
【図４】支持枠に対してリヤディスチャージカバーを取り付けた状態を示す背面図である。
【図５】リヤディスチャージカバーにおける分散部材付近の縦断面図である。
【図６】支持枠およびリヤディスチャージカバーを示す分解斜視図である。
【図７】別実施形態におけるダクトおよびリヤディスチャージカバーを示す平面図である。
【図８】別実施形態における草刈機を示す側面図である。
【発明を実施するための形態】
【００１９】
以下、本発明の実施例を図面に基づいて説明する。
〔全体構成〕
図１，図２に示すように、乗用型草刈機は、運転座席３が装備された運転部、左右の前輪１および左右の後輪２を有する乗用型の自走車５０（機体の一例）と、この自走車５０の車体フレーム４にリンク機構１０を介して連結された草刈装置２０と、草刈装置２０から排出された刈草を斜め上方後方に向けて案内するダクト５３と、ダクト５３の出口から排出された刈草を下方の地面Ｔに向けて案内するリヤディスチャージカバー５４と、を備えている。この乗用型草刈機は、左右の前輪１と左右の後輪２とによって自走しながら、草刈装置２０によって芝や草を刈り込み、刈草をダクト５３を通してリヤディスチャージカバー５４から地面Ｔに放出するように構成してある。
【００２０】
（自走車）
図１，図２に示すように、前記自走車５０は、車体フレーム４の前部に設けたエンジン
５と、このエンジン５の下方に設けた動力伝達機構４０と、車体フレーム４の後部に設けた静油圧式無段変速装置８１および減速装置８２と、を備えている。動力伝達機構４０は、伝動ベルト４２、入力軸４１、動力取出軸４３、回転軸４６等を備えている。これにより、エンジン５の出力は、その前方から伝動ベルト４２を介して入力軸４１に入力され、入力軸４１の動力は、油圧操作式の作業クラッチ（図示しない）を介して動力取出軸４３に伝達され、動力取出軸４３の動力は、回転軸４６を介して後述する刈刃駆動機構２２の入力軸２２ａに伝達される。
【００２１】
また、エンジン５の出力は、その後方から伝動軸８３を介して静油圧式無段変速装置８１に入力されて変速され、変速された動力は減速装置８２に入力されて減速され、減速された動力は、その左右に設けられた伝動ケース８４を介して左右の後輪２の夫々に伝達される。
【００２２】
（リンク機構）
図１，図２に示すように、前記リンク機構１０は、車体フレーム４に上下揺動可能に支持された左右の前揺動リンク１１と、車体フレーム４に上下揺動可能に支持された左右の後揺動リンク１２と、左右の連動リンク１３と、を備えている。
【００２３】
図１，図２に示すように、前記左右の前揺動リンク１１の先端部は、草刈装置２０の前部に位置する前連結部材２３に連結されている。左右の後揺動リンク１２の先端部は、草刈装置２０の後部に位置する後連結部材２４に連結されている。右及び左の連動リンク１３は、それぞれ右及び左の前揺動リンク１１と後揺動リンク１２とを連動させている。右及び左の前揺動リンク１１の基端部同士を連結する回転支軸１４が設けられている。車体フレーム４と左右の前揺動リンク１１の一方の基端部とに亘ってリフトシリンダ１５が設けられている。
【００２４】
リフトシリンダ１５によって一方の前揺動リンク１１が揺動操作されると、回転支軸１４によって左右の前揺動リンク１１が一体に揺動し、左右の連動リンク１３によって左右の後揺動リンク１２も一体に揺動する。これにより、草刈装置２０が車体フレーム４に対して上下に揺動操作される。草刈装置２０が車体フレーム４に対して上に揺動操作されたときには、刈刃ハウジング２１の前後側に支持された各接地ゲージ輪２５が地面Ｔから上昇した上昇非作業状態となり、草刈装置２０が車体フレーム４に対して下に揺動操作されたときには、各接地ゲージ輪２５が地面Ｔに接地した下降作業状態となる。
【００２５】
（草刈装置）
図１，図２に示すように、前記自走車５０の車体フレーム４の前後輪１，２間でかつ自走車５０の車体フレーム４の下方には、草刈装置２０が配置されている。草刈装置２０は、左右の刈刃２６と、それら刈刃２６を収納する刈刃ハウジング２１と、それら刈刃２６を駆動する刈刃駆動機構２２と、を備えている。刈刃２６は、長尺状に構成してあり、その両端の回転方向下手側から斜め上方に延びる折曲部２６ａを有している。刈刃ハウジング２１は、平面視で左右の円部分２１ａ同士が外接する形状に構成してある。左右の円部分２１ａには、それぞれ刈刃２６が収納されている。
【００２６】
図１，図２に示すように、前記刈刃駆動機構２２は、ギヤハウジング５１内に、複数のギヤ部（図示しない）を互いに噛合する状態で左右並列配置して構成してある。刈刃駆動機構２２の入力軸２２ａが、複数のギヤ部のうち中央側に位置する１つのギヤ部に連動するとともに、複数のギヤ部のうち左右両側に位置する２つのギヤ部が、それぞれ左右の縦軸５２を介して左右の刈刃２６に連動するように構成してある。これにより、刈刃駆動機構２２の入力軸２２ａの動力は、複数のギヤ部を介して左右の縦軸５２に伝達され、刈刃２６が縦軸５２周りに回転して（図２の矢印参照）、芝や草が刈り込まれる。刈刃２６の折曲部２６ａが起こす風によって、刈草がダクト５３に排出される。
【００２７】
（ダクト）
図１，図２に示すように、前記ダクト５３は、刈草排出ダクト２７と搬送ダクト６とを備えている。搬送ダクト６は、上面６ｂ、下面６ｃ、左側面６ｄ、および右側面６ｅを備えて、四角筒状に構成してある。刈刃ハウジング２１の上部でかつ左右の円部分２１ａの間の箇所には、刈草排出ダクト２７が斜め上方後方に延出され、その刈草排出ダクト２７の後端には、搬送ダクト６が接続されて、その搬送ダクト６が左右後輪２の間を斜め上方後方に沿って延出されている。これにより、刈草排出ダクト２７に排出された刈草は、刈草排出ダクト２７と搬送ダクト６の内周面に沿って斜め上方後方に案内されて、リヤディスチャージカバー５４に排出される。尚、刈草排出ダクト２７に排出された刈草の多くは、搬送ダクト６の上面６ｂに沿って流れることになる。
【００２８】
（支持枠）
図１，図３，図４，図６に示すように、車体フレーム４の後端側には、前面開口枠２９を介してリヤディスチャージカバー５４を着脱可能に支持する支持枠２８が連結固定されている。支持枠２８の上部の横軸３０の左右方向複数箇所には、連結軸３１を支持するブラケット３２と、連結軸３１を支持するとともに該連結軸３１を揺動させる油圧シリンダ３４の一端を取り付けるブラケット３３とが設けられている。尚、詳述しないが、ブラケット３２には、集草装置（図示しない）が着脱可能に取り付けられるようになっており、ブラケット３２に集草装置を取り付けた状態で油圧シリンダ３４を作動させると、集草装置が横軸３０回りに回動して昇降操作される。
【００２９】
図１，図３，図４，図６に示すように、前記支持枠２８は、下辺部の中央に矩形状の切欠３５ｂを有する矩形状の平板部３５と、車体フレーム４に固定されるとともに平板部３５の前面に取り付けられた左右の前面開口枠２９と、平板部３５を保持する左右の縦フレーム３６と、を備えている。前記平板部３５には、その外周部から後側に突出する鍔部３５ａが形成されている。前記搬送ダクト６の後端には、左右横側に折り曲げ形成された左右の鍔部６ａが形成されている。搬送ダクト６の鍔部６ａと平板部３５の切欠３５ｂとがボルト連結されている。これにより、搬送ダクト６の後端には、矩形状の開口９（出口の一例）が形成されている。
【００３０】
図３，図４，図６に示すように、前記平板部３５における切欠３５ｂの上側部分には、リヤディスチャージカバー５４の上側に係合する上側係合部材５５が取り付けられると共に、前記平板部３５における切欠３５ｂの左右横側部分の下側には、リヤディスチャージカバー５４の下側に係合する左右の下側係合部材５６が取り付けられている。上側係合部材５５は、平板部３５に固定された左右の固定部分５５ａと、それら固定部分５５ａの間に位置して平板部３５から後方に突出する突出部分５５ｂと、その突出部分５５ｂの左右両端に貫通する状態で取り付けられかつ上方に突出する左右の突出ピン５５ｃと、を備えている。左右の下側係合部材５６は、それぞれ下端側が斜め上方に沿うフック部分５６ａを備えている。
【００３１】
（リヤディスチャージカバー）
図１〜図６に示すように、前記リヤディスチャージカバー５４は、搬送ダクト６の後端における左縁部に接続されて前後方向から左側に傾斜する方向に延出される四角形の平板状の左側面部６１と、搬送ダクト６の後端における右縁部に接続されて前後方向から右側に傾斜する方向に延出される四角形の平板状の右側面部６２と、搬送ダクト６の後端における上縁部に接続されて斜め後方下方に延出される台形の平板状の上側案内面６３（上側案内面，案内部分の一例）と、その上側案内面６３に接続されて該上側案内面６３よりも下方に向きながら斜め後方下方に延出される台形の平板状の下側案内面６４（下側案内面，案内部分の一例）と、を備えて、下方（地面Ｔに向かう方向）および前方（開口９に向かう方向）が開口するように構成してある。
【００３２】
図３，図４，図６に示すように、前記上側案内面６３の上面には、左右の係止穴６３ａが形成されている。上側案内面６３の上面には、取っ手６５が取り付けられている。左側面部６１の前下部と右側面部６２の前下部との間には、丸棒部材６６が左右に架け渡されている。丸棒部材６６は、その両端部６６ａがそれぞれ左側面部６１および右側面部６２から左右横外方側に突出している。
【００３３】
リヤディスチャージカバー５４を取り付ける際には、作業者は、取っ手６５を持ってリヤディスチャージカバー５４を降ろし、丸棒部材６６の両端部６６ａをそれぞれ左右のフック部分５６ａに引っ掛けるとともに、左右の突出ピン５５ｃをそれぞれ係止穴６３ａに挿入する。リヤディスチャージカバー５４を取り外す際には、作業者は、取っ手６５を持ってリヤディスチャージカバー５４を持ち上げ、丸棒部材６６の両端部６６ａをそれぞれフック部分５６ａから取り外すとともに、左右の突出ピン５５ｃをそれぞれ係止穴６３ａから抜き出す。このようにして、支持枠２８に対してリヤディスチャージカバー５４を着脱する。
【００３４】
（分散部材）
図１〜図６に示すように、搬送ダクト６の開口９から排出された刈草を左右方向に分散させる左右の分散部材６７が、上側案内面６３に取り付けられている。分散部材６７は、上側案内面６３からリヤディスチャージカバー５４の内方側に膨出する三角錐状で機体左右方向での縦断面が下向きに尖った三角形状の膨出部６８と、その膨出部６８を上側案内面６３に取り付ける左右の矩形板状の取付部６９と、を備えている。
膨出部６８は、後側ほど徐々に幅広となる左右の三角板状の側面部分６８ａを有し、左右の側面部分６８ａは、それぞれ上側案内面６３からリヤディスチャージカバー５４で覆われる空間の内方側へ突出するように傾斜している。左右の側面部分６８ａ，６８ａ同士が連なる箇所である接続部分６８ｂ（屈曲部分）が、下向きに尖った三角形状の膨出部６８の稜線部分となっている。
左右の取付部６９の前後端には、それぞれ丸穴６９ａが形成されている。上側案内面６３にも、取付部６９の丸穴６９ａに対応する丸穴６３ｂが形成されている。ボルト７０をそれら丸穴６９ａ，６３ｂに挿通させて、分散部材６７を上側案内面６３に取り付ける。
【００３５】
図１，図２に示すように、前記左右の分散部材６７が、平面視で搬送ダクト６の左右方向の中心線Ｘを挟んで左右対称でかつ上側案内面６３の下縁部（下側の辺部）に接する位置に配置されている。ここで、左右方向の中心線Ｘとは、搬送ダクト６の左右方向の中央を通りかつ前後方向に沿う中心線Ｘのことである。
【００３６】
左側の分散部材６７における接続部分６８ｂが、平面視で搬送ダクト６の左側面６ｄの後方への左側延長線Ｌ３と中心線Ｘとの間でかつ左側延長線Ｌ３に沿って位置している。右側の分散部材６７における接続部分６８ｂが、平面視で搬送ダクト６の右側面６ｅの後方への右側延長線Ｌ４と中心線Ｘとの間でかつ右側延長線Ｌ４に沿って位置している。左右の分散部材６７が、側面視で搬送ダクト６の上面６ｂの後方への上側延長線Ｌ１と下面６ｃの後方への下側延長線Ｌ２との間で下方寄りに位置している。
つまり、上側延長線Ｌ１と下側延長線Ｌ２との間に存在する領域が、刈刃２６による起風が直接的に及ぶところの上下方向でのダクト５３の送風領域に相当し、分散部材６７は、この送風領域内で、上側延長線Ｌ１よりも下側延長線Ｌ２に近い下方寄りに位置している。
また、左右方向でのダクト５３の送風領域は、前記左側延長線Ｌ３と前記右側延長線Ｌ４との間に存在する領域である。
左右の分散部材６７，６７が刈草を左右方向に分散させる分散開始箇所は、それぞれの膨出部６８の稜線部分の前端箇所であり、この膨出部６８の稜線部分の前端箇所、及び前端箇所を含む稜線部分の全体が前記送風領域に存在するように各分散部材６７，６７が配設されている。つまり、左側の分散部材６７の稜線部分が、左側延長線Ｌ３と中心線Ｘとの間で、かつ中心線Ｘよりも左側延長線Ｌ３に近い箇所に位置するように配設され、右側の分散部材６７の稜線部分が、右側延長線Ｌ４と中心線Ｘとの間で、かつ中心線Ｘよりも右側延長線Ｌ４に近い箇所に位置するように配設されている。
【００３７】
（分散部材によって刈草が左右方向に分散される構成）
搬送ダクト６の開口９から排出された刈草は、上側案内面６３の案内によってその排出方向を斜め後方下方に変えつつ上側案内面６３に備えた分散部材６７によって左右方向に分散されて、下側案内面６４に搬送される。下側案内面６４に搬送された刈草は、下側案内面６４の案内によってその排出方向をさらに斜め後方下方に変えつつ下方の地面Ｔに放出される。
【００３８】
上述のように、刈草排出ダクト２７に排出された刈草の多くは、搬送ダクト６の上面６ｂに沿って流れる。搬送ダクト６の上面６ｂに沿って流れてきた刈草は、上側案内面６３の案内によって刈草の排出速度が低下するものの、下側案内面６４の案内によって刈草の排出速度が更に低下する前に、刈草が分散部材６７の膨出部６８に接触する。膨出部６８に接触した刈草は、膨出部６８の接続部分６８ｂによって左右に分流し、膨出部６８の側面部分６８ａの案内によって左右方向に分散される。このようにして、刈草が膨出部６８の接続部分６８ｂおよび側面部分６８ａに十分に接触することになり、刈草が左右方向に十分に分散される。よって、刈草を均等に放出することができ、地面の見栄えが向上する。
【００３９】
〔別実施形態〕
（１）上記実施形態では、上側案内面６３に丸穴６３ｂが形成されている構成を例示したが、このような構成に代えて、図７に示すように、上側案内面６３に前後方向に沿う長穴６３ｂが形成されていてもよい。例えば、ボルト７０が上側案内面６３の長穴６３ｂの一端に接触している場合において、ボルト７０を緩めて、ボルト７０が上側案内面６３の長穴６３ｂの他端に接触するまで分散部材６７を前後方向にスライド移動させたのち、ボルト７０を締め付ける。このようにして、分散部材６７を前後方向（上下方向）に移動可能に構成してもよい。尚、上側案内面６３に左右方向あるいは斜め方向に沿う長穴が形成され、分散部材６７を左右方向あるいは斜め方向に移動可能に構成してもよい。
【００４０】
さらに、上側案内面６３に前後の丸穴が形成されていてもよい。例えば、ボルト７０を、取付部６９の丸穴６９ａおよび上側案内面６３の一方の丸穴に挿通させている場合において、ボルト７０を、取付部６９の丸穴６９ａおよび上側案内面６３の一方の丸穴から抜き出して、分散部材６７を上側案内面６３から取り外す。分散部材６７を上下方向に移動させ、ボルト７０を、取付部６９の丸穴６９ａおよび上側案内面６３の他方の丸穴に挿通させて、分散部材６７を上側案内面６３に取り付ける。このようにして、分散部材６７を前後方向（上下方向）に移動可能に構成してもよい。なお、上側案内面６３に形成される丸穴の数は２つに限られるものではなく、適宜増減可能である。さらに、上側案内面６３に左右方向あるいは斜め方向に並ぶ複数の丸穴が形成され、分散部材６７を左右方向あるいは斜め方向に移動可能に構成してもよい。
【００４１】
（２）上記実施形態では、膨出部６８が三角錐状である構成を例示したが、これに限られるものでは無く、膨出部６８が多角錐状であったり、断面形状が円弧状の曲面状であったり、先細り状であってもよい。
【００４２】
（３）上記実施形態では、２つの分散部材６７を左右方向の中心線Ｘを挟んで左右対称に配置する構成を例示したが、分散部材６７の数はこれに限られるものではない。
【００４３】
（４）上記実施形態では、分散部材６７が、上側案内面６３に取り付けられる構成を例示したが、図８に示すように、分散部材６７が、上側案内面６３および下側案内面６４に亘って取り付けられてもよい。
【００４４】
【産業上の利用可能性】
【００４５】
本発明は、機体における前輪と後輪との間でかつ機体の下方に配置され、縦軸芯周りに回転駆動される刈刃を有する草刈装置を備える各種の草刈機に適応可能である。
【符号の説明】
【００４６】
１                          前輪
２                          後輪
６ｂ                        上面
６ｃ                        下面
９                          開口
２０                        草刈装置
２６                        刈刃
６，２７，５３              ダクト
５４                        リヤディスチャージカバー
６３，６４                  案内部分
６３                        上側案内面
６４                        下側案内面
６７                        分散部材
Ｌ１                        上側延長線
Ｌ２                        下側延長線
Ｌ３                        左側延長線
Ｌ４                        右側延長線
Ｔ                          地面
Ｘ                          中心線
【図１】
0005525265.tif 000002
【図２】
0005525265.tif 000003
【図３】
0005525265.tif 000004
【図４】
0005525265.tif 000005
【図５】
0005525265.tif 000006
【図６】
0005525265.tif 000007
【図７】
0005525265.tif 000008
【図８】
0005525265.tif 000009